(57)【要約】      （修正有）【課題】内蓋の取り付け忘れを防止できるとともに、内蓋の開口と係止片の隙間から、おネバが直接蒸気経路に侵入することを抑制することができる炊飯器を提供すること。【解決手段】係止片は、第一の内蓋５０Ａの内釜側に配置されたレバー部と、第一の内蓋の蓋体側に配置され、レバー部と第一の内蓋の開口部を介して接続された干渉部５４ｂとを有し、第一の内蓋にスライド自在であるとともに、第一の内蓋の蓋体側に、干渉部と開口部との少なくとも一部を覆うカバー部材７０を設けた。【選択図】図１７
2020120835.tif 000002
【特許請求の範囲】
【請求項１】
内釜を収納する本体と、
前記本体に開閉自在に設けられた蓋体と、
前記蓋体の前記内釜側となる面に着脱自在に取りつけられた第一の内蓋と、
前記第一の内蓋の前記内釜側となる面に着脱自在に取りつけられ、おネバ溜め空間を有する第二の内蓋と、
前記第二の内蓋を前記第一の内蓋に係止する係止片と、を備え、
前記係止片は、前記第一の内蓋の前記内釜側に配置されたレバー部と、前記第一の内蓋の前記蓋体側に配置され、前記第一の内蓋の開口部を介して前記レバー部と接続された干渉部とを有し、前記係止片は前記第一の内蓋にスライド自在である炊飯器において、
前記第一の内蓋の蓋体側に、前記干渉部と前記開口部との少なくとも一部を覆うカバー部材を設けたことを特徴とする炊飯器。
【請求項２】
係止片は、第二の内蓋が第一の内蓋に取り付けられていない状態では、干渉部が蓋体と干渉する位置になり、前記第二の内蓋が前記第一の内蓋に取り付けられている状態では、前記干渉部が前記蓋体と干渉しない位置になることを特徴とする請求項１に記載の炊飯器。
【請求項３】
蓋体は、内釜で発生した蒸気を外部に放出する蒸気口と、前記蒸気口に連通する蒸気経路を形成する周縁部を備え、干渉部は前記蒸気経路に連通する空間に位置することを特徴とする請求項１又は２に記載の炊飯器。
【請求項４】
カバー部材は、干渉部の少なくとも一部を覆う凹状部と、前記凹状部に接続され、第一の蓋体に固定される平面部とを有することを特徴とする請求項１から３のいずれかに記載の炊飯器。
【請求項５】
第一の内蓋の内釜側に係止片を保持する係止片ホルダーを設け、平面部と前記係止片ホルダーとを前記第一の内蓋を介してネジで固定したことを特徴とする請求項４に記載の炊飯器。
【請求項６】
カバー部材は干渉部を覆うキャップ状であることを特徴とする請求項１から３のいずれかに記載の炊飯器。
【請求項７】
カバー部材はＳＰＳで形成されていることを特徴とする請求項１〜６のいずれかに記載の炊飯器。
【発明の詳細な説明】
【技術分野】
【０００１】
本発明は、炊飯中のふきこぼれを抑制する炊飯器に関するものである。
【背景技術】
【０００２】
従来の炊飯器は、内釜を取り出し自在に配置する本体を備え、この本体に内釜を覆う蓋体が開閉自在に設けられている。蓋体には、内釜の上端開口を閉塞する第一の内蓋が着脱自在に設けられている。また、第一の内蓋の内釜側となる下面には、液状物であるおネバを分離して戻す受け皿（第二の内蓋）がさらに着脱自在に設けられている。なお、第二の内蓋は、第一の内蓋に設けられた排気通路の入口、つまり排気孔の目詰まりを防止するフィルタの役割を兼ねる。
【０００３】
しかし、このような炊飯器は、ユーザの誤使用により第一の内蓋に第二の内蓋を取り付け忘れた状態で炊飯処理が実行されることがあり、発生したおネバを分離することができず、ふきこぼれが発生するという問題があった。
【０００４】
この問題を解決するために、特許文献１では、第一の内蓋に四角の開口を形成し、その開口に一部が挿入される係止片と、この係止片を第一の内蓋の中心に付勢するバネと、バネを囲み、係止片をスライド自在に保持する係止片ホルダーとを設け、第二の内蓋が第一の内蓋に取り付けられている状態では、係止片が第二の内蓋の凸部に押されて第一の内蓋の外側に移動し、蓋体の蒸気経路内に収納される位置、すなわち、蓋体の周縁部と干渉しない位置になり、第二の内蓋が第一の内蓋に取り付けられていない状態では、係止片は初期位置に移動し、蓋体の周縁部と干渉する位置になることで、第二の内蓋が取り付けられていない状態で調理が行われるという誤使用を防止するようにしている。
【先行技術文献】
【特許文献】
【０００５】
【特許文献１】ＷＯ２０１７／１４５４３７
【発明の概要】
【発明が解決しようとする課題】
【０００６】
しかし、特許文献１のものでは、係止片の一部が第一の内蓋の開口内をスライドするために、両者の間に隙間ができるようにする必要があるが、第一の内蓋の開口は蓋体の蒸気経路を介して蒸気口と連通することになるため、第一の内蓋の開口と係止片との隙間からおネバを含む液状物が直接蒸気経路に侵入し、その結果、蒸気口からのふきこぼれを発生させるという課題があった。
【０００７】
本発明は、このような課題を解決するためになされたものであり、第二の内蓋の取り付け忘れを防止できるとともに、第一の内蓋の開口と係止片の隙間から、おネバが直接蒸気経路に侵入することを抑制することができる炊飯器を提供することを目的としている。
【課題を解決するための手段】
【０００８】
本発明にかかる炊飯器は、内釜を収納する本体と、本体に開閉自在に設けられた蓋体と、蓋体の内釜側となる面に着脱自在に取りつけられた第一の内蓋と、第一の内蓋の内釜側となる面に着脱自在に取りつけられ、おネバ溜め空間を有する第二の内蓋と、第二の内蓋を第一の内蓋に係止する係止片と、を備え、係止片は、第一の内蓋の内釜側に配置されたレバー部と、第一の内蓋の前記蓋体側に配置され、レバー部と第一の内蓋の開口部を介して接続された干渉部とを有し、係止片は第一の内蓋にスライド自在であるとともに、第一の内蓋の蓋体側に、干渉部と開口部との少なくとも一部を覆うカバー部材を設けた。
【発明の効果】
【０００９】
本発明に係る炊飯器によれば、第一の内蓋の開口と係止片との隙間からおネバを含む液状物が直接蒸気経路に侵入することをカバー部材で防ぐことができ、結果、蒸気口からのふきこぼれを防止できる。
【図面の簡単な説明】
【００１０】
【図１】本発明の実施の形態１に係る炊飯器の外観斜視図である。
【図２】本発明の実施の形態１に係る炊飯器の内蓋を取り外した状態の外観斜視図である。
【図３】本発明の実施の形態１に係る炊飯器の縦断面概略図である。
【図４】本発明の実施の形態１に係る炊飯器の蒸気経路周辺の縦断面概略図である。
【図５】本発明の実施の形態１に係る内蓋を下面側から見た外観斜視図である。
【図６】本発明の実施の形態１に係る内蓋の側面概略図である。
【図７】本発明の実施の形態１に係る内蓋の下面側から見た分解斜視図である。
【図８】本発明の実施の形態１に係る内蓋の上面側から見た分解斜視図である。
【図９】本発明の実施の形態１に係る第一の内蓋の下面側から見た外観斜視図である。
【図１０】本発明の実施の形態１に係る第一の内蓋の上面側から見た外観斜視図である。
【図１１】本発明の実施の形態１に係る第二の内蓋の外観斜視図である。
【図１２】本発明の実施の形態１に係る第二の内蓋の第一の内蓋への着脱方法を説明する内蓋の側面概略図である。
【図１３】本発明の実施の形態１に係る炊飯器の第一の内蓋に第二の内蓋が取り付けられている状態の蓋体周辺の側面概略図である。
【図１４】本発明の実施の形態１に係る炊飯器の第一の内蓋に第二の内蓋が取り付けられていない状態の蓋体周辺の側面概略図である。
【図１５】本発明の実施の形態１に係る炊飯器の第一の内蓋に第二の内蓋が取り付けられている状態の縦断面概略図である。
【図１６】本発明の実施の形態１に係る炊飯器の第一の内蓋に第二の内蓋が取り付けられていない状態の縦断面概略図である。
【図１７】本発明の実施の形態１に係る第一の内蓋の第一の係止片の干渉部の位置を説明する平面視図である。
【図１８】本発明の実施の形態１に係る内蓋を上面側からみた平面視図である。
【図１９】本発明の実施の形態１に係る第一の内蓋の部分横断面図である。
【図２０】本発明の実施の形態２に係る内蓋を上面側から見た外観斜視図である。
【図２１】本発明の実施の形態２に係る内蓋の下面側から見た分解斜視図である。
【図２２】本発明の実施の形態２に係る内蓋の上面側から見た分解斜視図である。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】
実施の形態１．
図１は、本発明の実施の形態１に係る炊飯器１００Ａの外観斜視図であり、図２は、本発明の実施の形態１に係る炊飯器１００Ａの内蓋４０Ａを取り外した状態の外観斜視図であり、図３は、本発明の実施の形態１に係る炊飯器１００Ａの縦断面概略図であり、図４は、本発明の実施の形態１に係る炊飯器１００Ａの蒸気経路周辺の縦断面概略図である。
図１〜図３に示すように、本実施の形態１に係る炊飯器１００Ａは、内部に米などの調理物である被加熱物を保持する有底筒状の内釜３０が取り出し自在に収容され、内釜３０を誘導加熱する加熱手段である加熱コイル１１を有する箱体形状の本体１０と、本体１０のヒンジ部に開閉自在に設けられた蓋体２０と、蓋体２０の内釜３０側となる面、つまり下面に着脱自在に取り付けられ、蓋体２０で本体１０の上面を閉じた際に、内釜３０の上部開口を閉塞する内蓋４０Ａとを備えている。
【００１３】
図３に示すように、内釜３０は、外周面の上側に、外側に向かって突出したフランジ３１が外周に沿って設けられている。加熱コイル１１は、それぞれ円環状に形成され、内釜３０が収容される開口の底部に配置されている。その底部の中央には、加熱コイル１１により誘導加熱される内釜３０の温度を検出する温度センサー１３が設置されている。
【００１４】
本体１０の前面には、蓋体２０を開ける際に押下される開閉ボタン１４が設けられている。この開閉ボタン１４を押下すると、蓋体２０と本体１０との係止が解除されて、蓋体２０を開けることができる。また、本体１０の内部の背面側には、商用電源を高周波電力に変換して加熱コイル１１に供給するための回路が実装された電源基板１５が設けられている。この電源基板１５は、インバーター回路を構成するスイッチング素子などの部品で構成されている。
【００１５】
蓋体２０の上面の前面側には、炊飯ボタンなどの各種操作ボタンを備えた操作パネル２１が設けられている。蓋体２０の内部には、操作パネル２１の各種入力スイッチ、液晶パネルが実装された操作基板２２が設けられている。操作基板２２は、操作パネル２１からの入力に基づいて電源基板１５に制御信号を出力するとともに、液晶パネルに炊飯器１００Ａの動作状態などを表示させる。なお、操作基板２２を構成する回路は、その機能を実現する回路デバイスのようなハードウェアで構成することもできるし、ＣＰＵ、マイコンなどの演算装置とその動作を規定するソフトウェアで構成することもできる。また、蓋体２０の下面には、内釜３０内の温度を検知する蓋センサー２３と、本体１０内に収容される内釜３０内を上方から加熱するための蓋ヒーター２４と、が設けられている。
【００１６】
内蓋４０Ａは、蓋体２０の下面に取り付けられる第一の内蓋５０Ａと、第一の内蓋５０Ａの内釜３０側となる面、つまり下面に取り付けられる第二の内蓋６０Ａとからなる。そして、第一の内蓋５０Ａは第二の内蓋６０Ａよりも蓋体２０側に位置し、第二の内蓋６０Ａは第一の内蓋５０Ａよりも内釜３０側に位置している。また、第二の内蓋６０Ａには、中央部が下方に突出した溜まり部６１が形成されており、図４に示すように、第一の内蓋５０Ａと第二の内蓋６０Ａとの間には、おネバを溜める空間であるおネバ溜め空間６１ａが形成されている。このおネバ溜め空間６１ａは、内釜３０内で発生した蒸気が通過する経路の役割も果たしている。
【００１７】
第一の内蓋５０Ａの外周部には、内蓋４０Ａと内釜３０との間を密閉状態、つまり内釜３０内を密閉状態にする第一のパッキン５１が設けられている。図３に示すように、第二の内蓋６０Ａの中央には、内釜３０内の蒸気圧に応じて上下に移動して連結口（図示せず）を開閉する開閉弁６２が設けられており、その開閉弁６２の周りには、おネバ溜め空間６１ａの入口である複数の第二の連通孔６３が形成されている。さらに、第二の連通孔６３の周り、つまり外周部には第一の内蓋５０Ａと第二の内蓋６０Ａとの間を密閉状態、つまりおネバ溜め空間６１ａを密閉状態にする第二のパッキン６４が設けられている。また、図４に示すように、第一の内蓋５０Ａには、おネバ溜め空間６１ａの出口である複数の第一の連通孔５２が形成されている。つまり、第一の連通孔５２と第二の連通孔６３とは連通している。
【００１８】
図３に示すように、蓋体２０の内側側面の前面側には、内蓋４０Ａの第一の内蓋５０Ａを係止する第二の係止片２５が設けられている。この第二の係止片２５には、凹形状の凹部２５ａが設けられている。また、図２に示すように、蓋体２０の内側側面の背面側には、２つの支持部２６が間隔を開けて設けられている。これら支持部２６と蓋体２０の下面との間には第一の内蓋５０Ａの第一の凸部５７（後述する図７参照）の厚さ程度の隙間が形成されている。なお、支持部２６の数は２つに限定されず、３つ以上でもよい。また、図４に示すように、蓋体２０の内部には、内釜３０内で発生した蒸気が通過する経路である蓋体蒸気経路３３ａを形成する周縁部３３が設けられている。また、周縁部３３は上面側の周縁部３４と下面側の周縁部３５によって分割され、その間には上面側の周縁部３４と下面側の周縁部３５で挟持され固定された保湿弁体３６が形成されている。また、蓋体２０の上面には、蓋体蒸気経路３３ａの出口である蒸気口２８が形成されている。また、周縁部３４の外側には、蓋体２０と第一の内蓋５０Ａとの間を密閉状態、つまり蓋体蒸気経路３３ａを密閉状態にする第三のパッキン２９が設けられている。
【００１９】
なお、内蓋４０Ａが蓋体２０の下面に取り付けられた状態において、蓋体２０および内蓋４０Ａを平面視して第一の連通孔５２と蓋体蒸気経路３３ａとが重なる位置に形成されている。つまり、第一の連通孔５２は蓋体蒸気経路３３ａの入口となる。そのため、おネバ溜め空間６１ａと蓋体蒸気経路３３ａとは連通しており、第二の連通孔６３と第一の連通孔５２と蒸気口２８とは全て連通している。
【００２０】
ここで、炊飯器１００Ａは、内釜３０内に米と水とを収容して加熱コイル１１によって内釜３０を加熱してご飯を炊き上げるが、炊飯中においては、内釜３０内では主に蒸気が発生して、第二の連通孔６３、おネバ溜め空間６１ａ、第一の連通孔５２、蓋体蒸気経路３３ａの順で通過し、蒸気口２８から炊飯器１００Ａの外部へ排出される。
【００２１】
そして、炊飯中には、蒸気とともにおネバが内釜３０内を上昇し、蒸気とともに上昇したおネバは、第二の連通孔６３から内蓋４０Ａ内のおネバ溜め空間６１ａに入り、おネバ溜め空間６１ａにおネバが溜め込まれる。このとき、おネバと蒸気とは分離され、蒸気は第一の連通孔５２を通過して蒸気口２８から炊飯器１００Ａの外部へ排出される。
【００２２】
一方、分離されたおネバは第二の内蓋６０Ａが受け皿となり、溜まり部６１に溜め込まれることになる。そして、炊飯中に内釜３０内の圧力が下がると、開閉弁６２は自重とおネバの重さにより下がり、連結口が開いてそこからおネバ溜め空間６１ａ内に溜め込まれたおネバが内釜３０内に戻されることになるため、美味しいご飯を炊き上げることができる。また、おネバを内釜３０内に効率的に戻すことができる。
【００２３】
図５は、本発明の実施の形態１に係る内蓋４０Ａを下面側から見た外観斜視図であり、図６は、本発明の実施の形態１に係る内蓋４０Ａの側面概略図であり、図７は、本発明の実施の形態１に係る内蓋４０Ａの下側から見た分解斜視図であり、図８は、本発明の実施の形態１に係る内蓋４０Ａの上側から見た分解斜視図であり、図９は、本発明の実施の形態１に係る第一の内蓋５０Ａの下側から見た外観斜視図であり、図１０は、本発明の実施の形態１に係る第一の内蓋５０Ａの上側から見た外観斜視図であり、図１１は、本発明の実施の形態１に係る第二の内蓋６０Ａの外観斜視図である。
【００２４】
次に、本実施の形態１に係る内蓋４０Ａについて図５〜図１１を用いて詳細に説明する。内蓋４０Ａは、第一の内蓋５０Ａと第二の内蓋６０Ａとからなり、第二の内蓋６０Ａは第一の内蓋５０Ａの下面に対して着脱自在に取り付けられる。
【００２５】
図９に示すように、第一の内蓋５０Ａは、その下面の外周部に第一のパッキン５１が設けられており、その第一のパッキン５１よりも内側には第一の係止部５３および第二の係止部５６が設けられている。なお、第一の係止部５３と第二の係止部５６とは、互いに対向する位置に設けられている。図７に示すように、第一の係止部５３は、第二の内蓋６０Ａの着脱時にスライド（移動）する第一の係止片５４と、第一の係止片５４を第一の内蓋５０Ａの中心方向に付勢するバネを介してスライド自在に保持する係止片ホルダー５５とを備えている。また、第二の係止部５６には、凹形状の凹部５６ａが設けられている。ここで、第一の係止片５４は、耐加水分解性の高い材料であるシンジオタクチックポリスチレン樹脂（ＳＰＳ）で構成されており、蒸気による経年劣化を抑制している。
【００２６】
また、第一の内蓋５０Ａの下面に設けられている第一の係止部５３よりも内側には、角丸な長方形状の孔である第一の連通孔５２が二つ形成されている。なお、第一の連通孔５２の数は二つに限定されない。また、第一の内蓋５０Ａの第一の係止部５３側の外周端には、外側に向かって突出した第一の凸部５７が設けられており、第一の内蓋５０Ａの外周端の第一の凸部５７と対向する位置には、外側に向かって突出した第二の凸部５８が設けられている。
【００２７】
第一の係止片５４は、図６に示すように、第一の内蓋５０Ａの下面側に位置し、ユーザが移動させる際に把持するレバー部５４ａと、図７に示すような第一の内蓋５０Ａに形成された開口部５９を貫通して、第一の内蓋５０Ａの蓋体２０側となる面、つまり上面側に位置し、レバー部５４aと接続してレバー部５４ａに連動してスライドする干渉部５４ｂと、第一の内蓋５０Ａの下面側に位置する凹形状の凹部５４ｃとを備えている。
【００２８】
第一の係止片５４は、図８に示すように干渉部５４ｂのみが第一の内蓋５０Ａの蓋体２０側となる面、つまり上面側に露出したような状態となる。このとき、組立の都合上干渉部５４ｂの外形寸法を部分的に開口部５９よりも小さくする必要があり、組み立てられた状態では干渉部５４ｂと開口部５９には若干の隙間が生じる。その隙間の少なくとも一部、及び、干渉部５４ｂの一部を覆うためのカバー部材７０が、第一の内蓋５０Ａの上側に固定されている。
【００２９】
第二の内蓋６０Ａは、その上面の外周部に第二のパッキン６４が設けられている。また、図１１に示すように、中央部が下方に突出し、おネバ溜め空間６１ａを形成する溜まり部６１が設けられている。溜まり部６１の中央には開閉弁６２が設けられており、溜まり部６１の外周には円形状の孔である第二の連通孔６３が複数形成されている。また、第二の内蓋６０Ａの外周端には、外側に向かって突出した第一の凸部６５および第二の凸部６６が設けられている。なお、第一の凸部６５と第二の凸部６６とは、互いに対向する位置に設けられている。
【００３０】
開閉弁６２は、例えば耐熱性を有するシリコンゴムや、耐加水分解性の高い材料であるシンジオタクチックポリスチレン樹脂（ＳＰＳ）などで構成されており、連結口を開閉するものであり、炊飯時に発生する内釜３０内の蒸気圧で上方に移動して連結口を密閉状態とし、炊飯が終了したときには、自重で下がって連結口を開状態とする。また、溜まり部６１には、炊飯時に蒸気から分離されたおネバが溜まるようになっている。
【００３１】
図１２は、本発明の実施の形態１に係る第二の内蓋６０Ａの第一の内蓋５０Ａへの着脱方法を説明する内蓋４０Ａの側面概略図である。なお、図１２（ａ）は、第二の内蓋６０Ａの第一の内蓋５０Ａへの取り付け完了前の状態を示す図であり、図１２（ｂ）は、第二の内蓋６０Ａの第一の内蓋５０Ａへの取り付け完了後の状態を示す図であり、図１２（ｃ）は、第二の内蓋６０Ａの第一の内蓋５０Ａからの取り外し完了前の状態を示す図である。
【００３２】
次に、第二の内蓋６０Ａの第一の内蓋５０Ａへの着脱方法について図１２を用いて説明する。
第二の内蓋６０Ａを第一の内蓋５０Ａに取り付けるには、まず、図１２（ａ）に示すように第二の内蓋６０Ａの第二の凸部６６を第一の内蓋５０Ａの凹部５６ａに挿入する。その後、第二の内蓋６０Ａの第二の凸部６６を中心として第二の内蓋６０Ａの第一の凸部６５側を第一の内蓋５０Ａ側に回動させる、つまり、第二の内蓋６０Ａの第一の凸部６５を第一の内蓋５０Ａの第一の係止片５４に向かって押し付ける。すると、第一の内蓋５０Ａの第一の係止片５４は第二の内蓋６０Ａの第一の凸部６５と干渉、つまり接触し、第二の内蓋６０Ａの第一の凸部６５に押された第一の内蓋５０Ａの第一の係止片５４は、第一の係止片５４を第一の内蓋５０Ａの中心方向に付勢するバネの弾性力に抗して第一の内蓋５０Ａの外側に移動する。第二の内蓋６０Ａの第一の凸部６５が第一の内蓋５０Ａの凹部５４ｃに到達したら、第一の内蓋５０Ａの第一の係止片５４が第一の内蓋５０Ａの内側に移動し、図１２（ｂ）に示すように第二の内蓋６０Ａの第一の凸部６５が第一の内蓋５０Ａの凹部５４ｃに係止される。このようにして、第二の内蓋６０Ａを第一の内蓋５０Ａに取り付けることができる。
【００３３】
一方、第二の内蓋６０Ａを第一の内蓋５０Ａから取り外すには、図１２（ｃ）に示すように第一の内蓋５０Ａのレバー部５４ａを把持して第一の係止片５４を、第一の係止片５４を第一の内蓋５０Ａの中心方向に付勢するバネの弾性力に抗して第一の内蓋５０Ａの外側に移動させる。そして、第二の内蓋６０Ａの第一の凸部６５が第一の内蓋５０Ａの凹部５４ｃに係止された状態が解除されたら、第二の内蓋６０Ａの第二の凸部６６を中心として第二の内蓋６０Ａの第一の凸部６５側を第一の内蓋５０Ａ側とは反対側に回動させる、つまり、第二の内蓋６０Ａの第一の凸部６５を第一の内蓋５０Ａの第一の係止片５４から離す。その後、第二の内蓋６０Ａの第二の凸部６６を第一の内蓋５０Ａの凹部５６ａから抜く。このようにして、第二の内蓋６０Ａを第一の内蓋５０Ａから取り外すことができる。
【００３４】
図１３は、本発明の実施の形態１に係る炊飯器１００Ａの第一の内蓋５０Ａに第二の内蓋６０Ａが取り付けられている状態の蓋体２０周辺の側面概略図であり、図１４は、本発明の実施の形態１に係る炊飯器１００Ａの第一の内蓋５０Ａに第二の内蓋６０Ａが取り付けられていない状態の蓋体２０周辺の側面概略図であり、図１５は、本発明の実施の形態１に係る炊飯器１００Ａの第一の内蓋５０Ａに第二の内蓋６０Ａが取り付けられている状態の縦断面概略図であり、図１６は、本発明の実施の形態１に係る炊飯器１００Ａの第一の内蓋５０Ａに第二の内蓋６０Ａが取り付けられていない状態の縦断面概略図である。なお、図１５（ｂ）は、図１５（ａ）に示す炊飯器１００Ａの点線で囲まれた部分の拡大図を示しており、図１６（ｂ）は、図１６（ａ）に示す炊飯器１００Ａの点線で囲まれた部分の拡大図を示している。
【００３５】
次に、内蓋４０Ａの蓋体２０への着脱方法について図１３〜図１６を用いて説明する。
内蓋４０Ａを蓋体２０に取り付けるには、まず第一の内蓋５０Ａの第一の凸部５７を蓋体２０の下面と支持部２６との間に挿入する。その後、第一の内蓋５０Ａの第一の凸部５７を中心として第一の内蓋５０Ａの第二の凸部５８側を蓋体２０側に回動させる、つまり、第一の内蓋５０Ａの第二の凸部５８側の端部を蓋体２０の第二の係止片２５に向かって押し付ける。第二の係止片２５は、バネにより蓋体２０の背面側へ付勢される。
【００３６】
このとき、第二の内蓋６０Ａが第一の内蓋５０Ａに取り付けられている状態であれば、蓋体２０の第二の係止片２５は第一の内蓋５０Ａの第二の凸部５８側の端部と干渉し、第二の係止片２５を蓋体２０の背面側へ付勢するバネの弾性力に抗して押されて蓋体２０の前面側に移動する。そして、第一の内蓋５０Ａの第二の凸部５８が蓋体２０の凹部２５ａに到達したら、蓋体２０の第二の係止片２５が蓋体２０の背面側に移動し、図１３および図１５に示すように第一の内蓋５０Ａの第二の凸部５８が蓋体２０の凹部２５ａに係止される。このようにして、内蓋４０Ａを蓋体２０に取り付けることができる。なお、このとき、第一の内蓋５０Ａの干渉部５４ｂは蓋体２０の周縁部３３内、つまり蓋体蒸気経路３３ａ内に収納されている。
【００３７】
一方、第二の内蓋６０Ａが第一の内蓋５０Ａに取り付けられていない状態であれば、図１４および図１６に示すように、第一の内蓋５０Ａの第一の凸部５７を中心として第一の内蓋５０Ａの第二の凸部５８側を蓋体２０側に回動させると、第一の内蓋５０Ａの第二の凸部５８側の端部が蓋体２０の第二の係止片２５と干渉する前に、第一の内蓋５０Ａの干渉部５４ｂが蓋体２０の周縁部３３と干渉する。そして、第一の内蓋５０Ａがそれ以上蓋体２０側に回動しないようになっている。
【００３８】
図１７は、本発明の実施の形態１に係る第一の内蓋５０Ａの第一の係止片５４の干渉部５４ｂの位置を説明する平面視図である。なお、図１７（ａ２）は図１７（ａ１）に示す第一の内蓋５０Ａの点線で囲まれた部分の拡大図を示しており、図１７（ｂ２）は図１７（ｂ１）に示す第一の内蓋５０Ａの点線で囲まれた部分の拡大図を示しており、図１７（ｃ２）は図１７（ｃ１）に示す第一の内蓋５０Ａの点線で囲まれた部分の拡大図を示している。
【００３９】
ここで、第一の内蓋５０Ａの第一の係止片５４の干渉部５４ｂの位置について説明する。
図１５に示すように、第一の内蓋５０Ａの干渉部５４ｂの位置は、第二の内蓋６０Ａが第一の内蓋５０Ａに取り付けられている状態かどうかによって変わる。そして、図１７（ａ２）に示すように、第二の内蓋６０Ａが第一の内蓋５０Ａに取り付けられている状態であれば、第一の内蓋５０Ａの干渉部５４ｂは、第二の内蓋６０Ａの第一の凸部６５によって押されて第一の内蓋５０Ａの外側に移動し、蓋体２０の蓋体蒸気経路３３ａ内に収納される位置、つまり蓋体２０の周縁部３３と干渉しない位置となる。一方、図１７（ｂ２）に示すように、第二の内蓋６０Ａが第一の内蓋５０Ａに取り付けられていない状態であれば、第一の内蓋５０Ａの干渉部５４ｂは初期位置に移動し、蓋体２０の周縁部３３と干渉する位置となる。
【００４０】
このように、第二の内蓋６０Ａが第一の内蓋５０Ａに取り付けられていない状態では、第一の内蓋５０Ａを蓋体２０に取り付けようとすると、第一の内蓋５０Ａの干渉部５４ｂが蓋体２０の周縁部３３と干渉する位置にあるため、第一の内蓋５０Ａを蓋体２０に取り付けられないようになっている。そのため、第二の内蓋６０Ａの取り付け忘れを防止することができる。
【００４１】
また、第二の内蓋６０Ａが第一の内蓋５０Ａに取り付けられていない状態では、第一の内蓋５０Ａの第一の凸部５７を中心として第一の内蓋５０Ａの第二の凸部５８側を蓋体２０側に回動させると、第一の内蓋５０Ａの第二の凸部５８側の端部が蓋体２０の第二の係止片２５と干渉する前に、第一の内蓋５０Ａの干渉部５４ｂが蓋体２０の周縁部３３と干渉するようになっており、第一の内蓋５０Ａが蓋体２０側に回動しないことを認識しやすくなっている。そのため、第一の内蓋５０Ａを蓋体２０に無理矢理取り付けようとして第一の内蓋５０Ａの第二の凸部５８側の端部を蓋体２０の第二の係止片２５に向かって押し付けるのを防止することができる。
【００４２】
また、第二の内蓋６０Ａを第一の内蓋５０Ａから取り外す際に必要な第一の内蓋５０Ａの第一の係止片５４の移動量は、内蓋４０Ａが蓋体２０に取り付けられた状態で第一の係止片５４の干渉部５４ｂが蓋体２０の周縁部３３と干渉するまでの移動量よりも大きい。つまり、第二の内蓋６０Ａを第一の内蓋５０Ａから取り外すには、図１７（ｃ２）に示すように、第一の内蓋５０Ａの干渉部５４ｂを蓋体２０の蓋体蒸気経路３３ａ内に収納される位置からさらに第一の内蓋５０Ａの外側の位置に移動させる必要がある。そのため、内蓋４０Ａが蓋体２０に取り付けられている状態では、第一の内蓋５０Ａの第一の係止片５４を第二の内蓋６０Ａが取り外せる位置まで移動するより先に、第一の内蓋５０Ａの干渉部５４ｂが第二の内蓋６０Ａの周縁部３３に干渉するため、第二の内蓋６０Ａを取り外せないようになっている。これによって、内蓋４０Ａが蓋体２０に取り付いた状態で、第二の内蓋６０Ａのみ取り外された状態になることを防止し、第二の内蓋６０Ａの取り付け忘れを防止することができる。
【００４３】
また、第一の連通孔５２は、第一の係止片５４が設けられていない位置に形成されており、かつ、第一の係止片５４の移動範囲外の位置に形成されている。そのため、第一の係止片５４によって第一の連通孔５２が塞がれることがなく、蒸気が蒸気口２８から炊飯器１００Ａの外部へ排出されにくくなるのを抑制することができる。
【００４４】
次に、第一の内蓋５０Ａに取り付けられるカバー部材７０の詳細について説明する。図１８は内蓋４０Ａを上面側からみた平面図であり、図１９は図１８における断面Ａ−Ａを表した部分断面図である。カバー部材７０は、凹状部７０Ａと、凹状部７０Ａの両側面から伸びる平面部７０Ｂから形成され、この平面部７０Ｂが、ネジ７１で第一の内蓋５０Ａの上側に、係止片ホルダー５５を第一の内蓋５０Ａの下側にして一緒に固定される。それにより、カバー部材７０の凹状部７０Ａが第一の係止片の干渉部５４Ｂの一部を上部から囲うようになる。なお、カバー部材７０は、耐加水分解性の高い材料であるシンジオタクチックポリスチレン樹脂（ＳＰＳ）で構成されており、蒸気による経年劣化を抑制している。
【００４５】
このように構成することで、開口部５９と第一の係止片の干渉部５４Ｂとの隙間の一部もカバー部材７０の凹状部７０Ａに囲まれた状況になるので、隙間から侵入するおネバを押さえつけ、おネバの上昇を抑制することができる。これにより、蒸気経路３３ａ内でのおネバの上昇が抑制され、蒸気口２８からのふきこぼれを抑制することができる。
【００４６】
実施の形態２．
以下、本発明の実施の形態２について説明するが、実施の形態１と重複するものについては説明を省略し、実施の形態１と同じ部分または相当する部分には同じ符号を付す。
【００４７】
図２０は、本発明の実施の形態２に係る内蓋４０Ｂを上面側から見た外観斜視図であり、図２１は、本発明の実施の形態２に係る内蓋４０Ｂを下面側からみた分解斜視図であり、図２２は、本発明の実施の形態２に係る内蓋４０Ｂを上面側からみた分解斜視図である。
本実施の形態２では、第一の係止片およびカバー部材の構造が実施の形態１とは異なっている。
【００４８】
図２０〜図２２に示すように、カバー部材８０は直方体形状で一面が開放されたキャップ状になっている。そして、この内部空間に、第一の係止片の干渉部７３ａがカバー部材８０の開放部から入り込み、接着剤にて固定されている。カバー部材８０は、第一係止片と合わせて移動することになり、その厚みによって、開口部５９と第一の係止片の干渉部７３ａとの隙間の一部を塞ぐことになる。よって、隙間から侵入するおネバを押さえつけ、おネバの上昇を抑制することができる。なお、係止片ホルダー７４は、第一の内蓋５０Ｂの下側に単独でネジなどにより固定されることになる。
【００４９】
このようにすることで、蒸気経路３３ａ内でのおネバの上昇が抑制され、蒸気口２８からのふきこぼれを抑制することができる。
なお、ここでは、カバー部材８０と第一の係止片の干渉部７３ａとを接着剤で固定したが、例えば、一方に爪、他方に凹部を設けて、爪を凹部に挿入させて固定したり、ねじで固定したりしてもよい。
【符号の説明】
【００５０】
１０  本体、１１  加熱コイル、１３  温度センサー、１４  開閉ボタン、１５  電源基板、２０  蓋体、２１  操作パネル、２２  操作基板、２３  蓋センサー、２４  蓋ヒーター、２５  第二の係止片、２５ａ  凹部、２６  支持部、２７ａ  蓋体蒸気経路、２８  蒸気口、２９  第三のパッキン、３０  内釜、３１  フランジ、３３  周縁部、３３ａ  蒸気経路、３４  上面の周縁部、３５  下面の周縁部、３６  保湿弁体、４０Ａ  内蓋、４０Ｂ  内蓋、５０Ａ  第一の内蓋、５０Ｂ  第一の内蓋、５１  第一のパッキン、５２  第一の連通孔、５３  第一の係止部、５４  第一の係止片、５４ａ  レバー部、５４ｂ  干渉部、５４ｃ  凹部、５５  係止片ホルダー、５６  第二の係止部、５６ａ  凹部、５７  第一の凸部、５８  第二の凸部、６０Ａ  第二の内蓋、６１  溜まり部、６１ａ  おネバ溜め空間、６２  開閉弁、６３  第二の連通孔、６４  第二のパッキン、６５  第一の凸部、６６  第二の凸部、７０  カバー部材、７１  ネジ、
７３  第一の係止片、７３ａ  干渉部、７４  係止片ホルダー、７５  第一の係止部、８０  カバー部材、１００Ａ  炊飯器、１００Ｂ  炊飯器。
【図１】
2020120835.tif 000003
【図２】
2020120835.tif 000004
【図３】
2020120835.tif 000005
【図４】
2020120835.tif 000006
【図５】
2020120835.tif 000007
【図６】
2020120835.tif 000008
【図７】
2020120835.tif 000009
【図８】
2020120835.tif 000010
【図９】
2020120835.tif 000011
【図１０】
2020120835.tif 000012
【図１１】
2020120835.tif 000013
【図１２】
2020120835.tif 000014
【図１３】
2020120835.tif 000015
【図１４】
2020120835.tif 000016
【図１５】
2020120835.tif 000017
【図１６】
2020120835.tif 000018
【図１７】
2020120835.tif 000019
【図１８】
2020120835.tif 000020
【図１９】
2020120835.tif 000021
【図２０】
2020120835.tif 000022
【図２１】
2020120835.tif 000023
【図２２】
2020120835.tif 000024